(57)【特許請求の範囲】
【請求項１】
ユーザ機器（ＵＥ）の方法であって、
前記ＵＥにおいて第２のセルからの第２のセル送信を復号するとき、第１のセルからの干渉する第１のセル送信の干渉抑圧を可能にするであろう変調およびコーディング方式（ＭＣＳ）を決定することと、ここにおいて、前記決定されたＭＣＳは、前記干渉する第１のセル送信に適用され、前記干渉する第１のセル送信が、前記ＵＥを対象としない送信であり、前記第２のセル送信が、前記ＵＥを対象とする送信である、
前記第１のセルについての前記決定されたＭＣＳを示す情報を少なくとも前記第１のセルに送信することと、
前記第２のセルからダウンリンク許可を受信することと、前記ダウンリンク許可が、前記第１のセルについての前記決定されたＭＣＳを示す前記送信された情報に基づく、
前記第２のセルからの前記第２のセル送信と前記第１のセルからの前記干渉する第１のセル送信とを備える送信を受信することと、
前記決定されたＭＣＳに基づいて、前記受信された送信からの前記第２のセル送信を復調することまたは復号することのうちの少なくとも１つを実行することと
を備える、方法。
【請求項２】
前記実行することが、復調することを備え、前記受信された送信からの前記第２のセル送信を前記復調することは、前記干渉する第１のセル送信が、前記決定されたＭＣＳに基づいて変調されるかまたは符号化されるかのうちの少なくとも１つであるという仮定に基づく、請求項１に記載の方法。
【請求項３】
前記実行することが、復号することを備え、前記受信された送信からの前記第２のセル送信を前記復号することは、前記干渉する第１のセル送信が、前記決定されたＭＣＳに基づいて変調されるかまたは符号化されるかのうちの少なくとも１つであるという仮定に基づく、請求項１に記載の方法。
【請求項４】
前記受信された送信から、前記干渉する第１のセル送信による前記第２のセル送信への干渉を抑圧することをさらに備え、前記干渉が、前記決定されたＭＣＳに基づいて抑圧される、請求項１に記載の方法。
【請求項５】
ワイヤレス通信のための装置であって、前記装置がユーザ機器（ＵＥ）であり、
前記ＵＥにおいて第２のセルからの第２のセル送信を復号するとき、第１のセルからの干渉する第１のセル送信の干渉抑圧を可能にするであろう変調およびコーディング方式（ＭＣＳ）を決定するための手段と、ここにおいて、前記決定されたＭＣＳは、前記干渉する第１のセル送信に適用され、前記干渉する第１のセル送信が、前記ＵＥを対象としない送信であり、前記第２のセル送信が、前記ＵＥを対象とする送信である、
前記第１のセルについての前記決定されたＭＣＳを示す情報を少なくとも前記第１のセルに送信するための手段と、
前記第２のセルからダウンリンク許可を受信するための手段と、前記ダウンリンク許可が、前記第１のセルについての前記決定されたＭＣＳを示す前記送信された情報に基づく、
前記第２のセルからの前記第２のセル送信と前記第１のセルからの前記干渉する第１のセル送信とを備える送信を受信するための手段と、
前記決定されたＭＣＳに基づいて、前記受信された送信からの前記第２のセル送信を復調することまたは復号することのうちの少なくとも１つを実行するための手段と
を備える、装置。
【請求項６】
実行するための前記手段は、前記干渉する第１のセル送信が、前記決定されたＭＣＳに基づいて変調されるかまたは符号化されるかのうちの少なくとも１つであるという仮定に基づいて、前記受信された送信からの前記第２のセル送信を復調するように構成された、請求項５に記載の装置。
【請求項７】
実行するための前記手段は、前記干渉する第１のセル送信が、前記決定されたＭＣＳに基づいて変調されるかまたは符号化されるかのうちの少なくとも１つであるという仮定に基づいて、前記受信された送信からの前記第２のセル送信を復号するように構成された、請求項５に記載の装置。
【請求項８】
前記受信された送信から、前記干渉する第１のセル送信による前記第２のセル送信への干渉を抑圧するための手段をさらに備え、前記干渉が、前記決定されたＭＣＳに基づいて抑圧される、請求項５に記載の装置。
【請求項９】
コンピュータ上で動作させられるとき、請求項１−４のうちのいずれか一項にしたがった方法を実行するための命令を備えるコンピュータプログラム。
【発明の詳細な説明】
【技術分野】
【０００１】
関連出願の相互参照
[0001]本出願は、どちらも全体が参照により本明細書に明確に組み込まれる、２０１３年１月２２日に出願された「APPARATUS AND METHOD OF MANAGING INTERFERENCE IN A NETWORK」と題する米国仮出願第６１／７５５，３７７号、および２０１４年１月８日に出願された「MANAGING INTERFERENCE IN A NETWORK」と題する米国非仮出願第１４／１５０，６３２号の利益を主張する。
【０００２】
[0002]本開示は、一般に通信システムに関し、より詳細には、ネットワークにおける干渉を管理することに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ：time division multiple acces）システム、周波数分割多元接続（ＦＤＭＡ：frequency division multiple access）システム、直交周波数分割多元接続（ＯＦＤＭＡ：orthogonal frequency division multiple access）システム、シングルキャリア周波数分割多元接続（ＳＣ−ＦＤＭＡ：single-carrier frequency division multiple access）システム、および時分割同期符号分割多元接続（ＴＤ−ＳＣＤＭＡ：time division synchronous code division multiple access）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ：downlink）上ではＯＦＤＭＡを使用し、アップリンク（ＵＬ：uplink）上ではＳＣ−ＦＤＭＡを使用し、多入力多出力（ＭＩＭＯ：multiple-input multiple-output）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置はユーザ機器（ＵＥ：user equipment）であり得る。ＵＥは、ＵＥにおいて第２のセルからの第２のセル送信（cell transmission）を復号するとき、第１のセルからの干渉する第１のセル送信の干渉抑圧を可能にするであろう変調およびコーディング方式（ＭＣＳ：modulation and coding scheme）を決定する。干渉する第１のセル送信は、ＵＥを対象としない送信である。第２のセル送信は、ＵＥを対象とする送信である。ＵＥは、第１のセルについての決定されたＭＣＳを示す情報を送信する。ＵＥは、第２のセルからの第２のセル送信と第１のセルからの干渉する第１のセル送信とを含む送信を受信する。ＵＥは、決定されたＭＣＳに基づいて、受信された送信からの第２のセル送信を復調する。ＵＥは、干渉する第１のセル送信が、決定されたＭＣＳに基づいて変調されるかまたは符号化されるかのうちの少なくとも１つであるという仮定に基づいて、受信された送信からの第２のセル送信を復調および／または復号し得る。
【０００６】
[0006]本開示の一態様では、方法、コンピュータプログラム製品、および装置が提供される。本装置はセルであり得る。セルは、セルからのセル送信の第１のＵＥによる干渉抑圧を可能にするであろうＭＣＳを示す情報を受信する。セルは、ＭＣＳを示す受信された情報に基づいてデータを変調することまたは符号化することのうちの少なくとも１つを実行する。セルは、セル送信中でデータを第２のＵＥに送信する。
【図面の簡単な説明】
【０００７】
【図１】[0007]ネットワークアーキテクチャの一例を示す図。
【図２】[0008]アクセスネットワークの一例を示す図。
【図３】[0009]ＬＴＥにおけるＤＬフレーム構造の一例を示す図。
【図４】[0010]ＬＴＥにおけるＵＬフレーム構造の一例を示す図。
【図５】[0011]ユーザプレーンおよび制御プレーンのための無線プロトコルアーキテクチャの一例を示す図。
【図６】[0012]アクセスネットワーク中の発展型ノードＢおよびユーザ機器の一例を示す図。
【図７】[0013]干渉を管理するための一態様を含む、異種ネットワーク中の範囲拡大セルラー領域を示す図。
【図８】[0014]ワイヤレス通信の第１の方法のフローチャート。
【図９】[0015]ワイヤレス通信の第２の方法のフローチャート。
【図１０】[0016]例示的な装置中の異なるモジュール／手段／構成要素間のデータフローを示す概念データフロー図。
【図１１】[0017]処理システムを採用する装置のためのハードウェア実装形態の例を示す図。
【図１２】[0018]例示的な装置中の異なるモジュール／手段／構成要素間のデータフローを示す概念データフロー図。
【図１３】[0019]処理システムを採用する装置のためのハードウェア実装形態の一例を示す図。
【発明を実施するための形態】
【０００８】
[0020]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0021]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１０】
[0022]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0023]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１２】
[0024]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１３】
[0025]Ｅ−ＵＴＲＡＮは、発展型ノードＢ（ｅＮＢ：evolved Node B）１０６と、他のｅＮＢ１０８と、マルチキャスト協調エンティティ（ＭＣＥ：Multicast Coordination Entity）１２８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディング方式（ＭＣＳ））を決定する。ＭＣＥ１２８は別個のエンティティ、またはｅＮＢ１０６の一部であり得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0026]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１５】
[0027]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは、１つまたは複数の（たとえば、３つの）セル（セクタとも呼ばれる）をサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では互換的に使用され得る。
【００１６】
[0028]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１７】
[0029]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々はそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１８】
[0030]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0031]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２０】
[0032]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中の各ＯＦＤＭシンボル中に７個の連続するＯＦＤＭシンボルを含んでいる。拡張サイクリックプレフィックスの場合、リソースブロックは、合計７２個のリソース要素について、時間領域中に６個の連続するＯＦＤＭシンボルを含んでいる。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２１】
[0033]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２２】
[0034]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２３】
[0035]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２４】
[0036]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２５】
[0037]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２６】
[0038]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２７】
[0039]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２８】
[0040]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２９】
[0041]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のためにそれぞれの空間ストリームでＲＦキャリアを変調し得る。
【００３０】
[0042]ＵＥ６５０において、各受信機６５４ＲＸは、そのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３１】
[0043]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３２】
[0044]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３３】
[0045]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３４】
[0046]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３５】
[0047]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３６】
[0048]図７は、干渉を管理するための一態様を含む、異種ネットワーク中の範囲拡大セルラー領域を示す図７００である。ピコｅＮＢ７１０ｂなどのより低い電力クラスのｅＮＢは、ピコｅＮＢ７１０ｂとマクロｅＮＢ７１０ａとの間の拡張セル間干渉協調と、ＵＥ７２０によって実行される干渉消去とを通して、セルラー領域７０２から拡大された範囲拡大セルラー領域７０３を有し得る。拡張セル間干渉協調において、ピコｅＮＢ７１０ｂは、マクロｅＮＢ７１０ａからＵＥ７２０の干渉状態に関する情報を受信する。この情報により、ピコｅＮＢ７１０ｂは、範囲拡張されたセルラー領域７０３中のＵＥ７２０をサービスし、ＵＥ７２０が、範囲拡張されたセルラー領域７０３に入るとき、マクロｅＮＢ７１０ａからのＵＥ７２０のハンドオフを受け入れることが可能になる。
【００３７】
[0049]ＵＥは、サービングセルデータ（たとえば、ＰＤＳＣＨ）の復調および復号を可能にするために、サービングおよび干渉物データ（たとえば、ＰＤＳＣＨ）のジョイント復号、または干渉物送信の干渉消去（ＩＣ：interference cancelation）など、高度復号アルゴリズムを採用し得る。コードワードレベル干渉消去（ＣＷＩＣ：codeword level interference cancelation）では、ＵＥは、干渉送信とサービング基地局送信の両方を含む受信された送信から干渉送信を復号することを試みる。復号された干渉送信に基づいて、ＵＥは、受信された送信から干渉送信を消去する。ＵＥは、次いで、干渉消去された受信された送信からサービング基地局送信を復調し、復号する。シンボルレベルＩＣ（ＳＬＩＣ：symbol level IC）では、ＵＥは、干渉基地局によって送信されたシンボルを推定し、その推定に基づいて、受信された送信から干渉送信を消去する。ＵＥは、次いで、干渉消去された受信された送信からサービング基地局送信を復調し、復号する。
【００３８】
[0050]干渉するＰＤＳＣＨのＭＣＳが、ＰＤＳＣＨを消去することを試みるＵＥとは無関係に選ばれたとき、ＵＥは、ジョイント復号または連続干渉消去を実行することに好適でない信号対干渉プラス雑音比（ＳＩＮＲ：signal to interference plus noise ratio）値において１つまたは複数の干渉するＰＤＳＣＨを受信し得る。ＵＥは、次いで、ＵＥが干渉送信を雑音として扱うシングルユーザ復号に戻らなければならなくなり得る。たとえば、干渉するＰＤＳＣＨは、ＣＷＩＣあるいは他のジョイント復号または連続干渉消去アルゴリズムの場合、ＵＥにおいて正しく復号するには高すぎるＭＣＳを有し得る。
【００３９】
[0051]第１の例示的な方法では、ＵＥ７２０は、ｅＮＢ７１０ａ（干渉基地局）から干渉送信７１４の干渉抑圧を可能にするであろうＭＣＳを決定する。干渉抑圧は、干渉消去（たとえば、ＣＷＩＣまたはＳＬＩＣ）と、ネットワーク支援推論消去（ＮＡＩＣ：network assisted inference cancelation）コンテキストにおける演算量削減型最尤（Ｒ−ＭＬ：reduced complexity maximum likelihood）復号と、ＵＥが干渉送信７１４のパラメータの知識またはパラメータの統計値を活用することを可能にする他の技法とのうちの１つまたは複数を含む。ＵＥ７２０は、ｅＮＢ７１０ａについての決定されたＭＣＳを示す情報７４０を送信する。ＵＥ７２０は、情報７４０を直接ｅＮＢ７１０ａに送信し得るか、または情報７４０をピコｅＮＢ７１０ｂに送信し得、ピコｅＮＢ７１０ｂは、次いで情報７４０をｅＮＢ７１０ａに与え得る。ｅＮＢ７１０ａは、ｅＮＢ７１０ａからの干渉送信７１４のＵＥ７２０による干渉抑圧を可能にするであろうＭＣＳを示す情報７４０を受信する。ｅＮＢ７１０ａは、次いで、ＭＣＳを示す受信された情報７４０に基づいてデータ（たとえば、ＰＤＳＣＨ）を変調および／または符号化する。ｅＮＢ７１０ａは、その後、データをＵＥ７２２に送信し、それによって干渉送信７１４を生成し得る。
【００４０】
[0052]ＵＥ７２０は、ピコｅＮＢ７１０ｂ（サービング基地局）からのサービング基地局送信７１２とｅＮＢ７１０ａからの干渉送信７１４とを含む送信７１２、７１４を受信する。ＵＥ７２０は、干渉送信７１４が、決定されたＭＣＳに基づいて変調および／または符号化されるという仮定に基づいて、受信された送信７１２、７１４からのサービング基地局送信７１２を復調および／または復号する。一構成では、サービング基地局送信７１２を復調し、復号する前に、ＵＥ７２０は、受信された送信７１２、７１４から、干渉送信７１４によるサービング基地局送信７１２への干渉を抑圧する。ＵＥ７２０は、決定されたＭＣＳに基づいてサービング基地局送信７１２への干渉を抑圧し得る。
【００４１】
[0053]一構成では、ＵＥ７２０は、決定されたＭＣＳに関連するチャネル品質インジケータ（ＣＱＩ：channel quality indicator）を決定する。そのような構成では、決定されたＭＣＳを示す情報７４０は、決定されたＣＱＩを示す情報である。決定されたＣＱＩを示す情報は、広帯域ＣＱＩ、１つまたは複数のサブバンドについてのサブバンドＣＱＩ、最大好適プリコーディング行列インジケータ（ＰＭＩ：preferred precoding matrix indicator）、最小好適ＰＭＩ、またはランクインジケータ（ＲＩ：rank indicator）のうちの少なくとも１つを含み得る。最小好適ＰＭＩは、ＵＥ７２０において最小干渉を生じるＰＭＩである。ＵＥ７２０は、最小好適ＰＭＩが使用された場合、干渉抑圧を実行しないことを選択し得るか、または干渉抑圧を実行することができないことがある。最大好適ＰＭＩは、ＵＥ７２０における干渉を最大にするか、あるいは場合によっては、ＵＥにおいて検出されるか、復調されるか、復号されるか、または場合によっては抑圧され得るレベルまで干渉を増加させるＰＭＩである。ＵＥ７２０における干渉を最大にすることは、ＵＥ７２０の干渉抑圧を助け、特に、ＵＥ７２０が干渉信号を復号することを助け得る。ＰＭＩは、ｅＮＢ７１０ａが送信モード（ＴＭ：transmission mode）３を使用する場合、不要であり得る。ＲＩに関して、ＵＥ７２０は、実装複雑さおよび／または干渉抑圧精度などの理由で、ＲＩを１に等しくさせ得る。
【００４２】
[0054]ＵＥ７２０は、ジョイント復号または連続干渉消去など、ＵＥ７２０における特定の高度復号アルゴリズムについてのＣＱＩを計算し得る。ＵＥ７２０は、ＵＥがそれの高度復号アルゴリズムを使用してサービング基地局送信７１２を正常に復調し、復号することができるように、ＣＱＩに対応するＭＣＳを決定し得る。ＵＥ７２０がそれとともに例示的な方法を実行する干渉基地局の数は、受信機能力と、ＵＥにおいて実装される復号アルゴリズムと、シグナリングオーバーヘッドと、他のファクタとに依存し得る。
【００４３】
[0055]ｅＮＢ７１０ａは、特定の所定のサブフレームおよび／またはサブバンド中で決定されたＭＣＳに基づいて変調および／または符号化される干渉送信７１４を送り得る。したがって、ＵＥ７２０は、干渉送信７１４が、決定されたＭＣＳに基づいてその上で変調され、符号化されることになるサブフレームおよび／またはサブバンドを決定し得る。ＵＥ７２０は、次いで、送信が決定されたサブバンドおよび／またはサブフレーム中で受信されたかどうかに基づいて、受信された送信７１２、７１４からの干渉を抑圧すべきかどうかを決定し得る。
【００４４】
[0056]ｅＮＢ７１０ａは、ＭＣＳを示す受信された情報７４０に基づいてダウンリンク送信を受信するためのＵＥをスケジュールし得る。ｅＮＢ７１０ａは、ＵＥが決定されたＭＣＳにおいてダウンリンク送信を受信することが可能であるかどうかに基づいて、ダウンリンク送信を受信するためのＵＥをスケジュールし得る。ｅＮＢ７１０ａが、ＵＥ７２２が決定されたＭＣＳにおいて干渉送信７１４を受信することができると決定した場合、ｅＮＢ７１０ａは、干渉送信７１４を受信するようにＵＥ７２２をスケジュールし得る。
【００４５】
[0057]上記で説明したように、ｅＮＢ７１０ａは、決定されたＭＣＳに基づいて干渉送信７１４を変調および／または符号化する。ｅＮＢ７１０ａは、決定されたＭＣＳで干渉送信７１４を変調および／または符号化し得る。代替的に、ｅＮＢ７１０ａは、決定されたＭＣＳに等しいかまたはそれよりも低いＭＣＳで干渉送信７１４を変調および／または符号化し得る。一構成では、ｅＮＢ７１０ａは、所定の最大ＭＣＳに基づいて干渉送信７１４を変調および／または符号化するためのＭＣＳを決定する。
【００４６】
[0058]ｅＮＢ７１０ａが、所定の最大ＭＣＳに基づいて、またはＵＥ７２０から（直接または間接的に）受信されたＭＣＳに等しいかまたはそれよりも低いＭＣＳで干渉送信７１４を変調および／または符号化するとき、ピコｅＮＢ７１０ｂは、ＵＥがｅＮＢ７１０ａからの干渉を信頼性抑圧することができるようにＵＥをスケジュールし得る。したがって、ＵＥ７２０は、ダウンリンク許可がｅＮＢ７１０ａによって利用される決定されたＭＣＳに基づくピコｅＮＢ７１０ｂからダウンリンク許可を受信し得る。ピコｅＮＢ７１０ｂは、ｅＮＢ７１０ａが、ＵＥ７２０によって決定されたＭＣＳよりも小さいかまたはそれに等しいＭＣＳを使用するとき、ＵＥ７２０をスケジュールし得、ｅＮＢ７１０ａが、ＵＥ７２０によって決定されたＭＣＳよりも大きいＭＣＳを使用するとき、ＵＥ７２０をスケジュールすることを控え得る。
【００４７】
[0059]ＵＥ７２０は、ｅＮＢ７１０ａから受信された基準信号に関連するＳＩＮＲに基づいてｅＮＢ７１０ａについてのＭＣＳを決定し得る。ＵＥ７２０が連続ＳＬＩＣを実装している場合、ＵＥ７２０は、ｅＮＢ７１０ａから受信された基準信号のＳＩＮＲに基づいてＵＥ７２０が確実に抑圧／消去することができる変調次数（modulation order）を決定し得る。ＵＥ７２０は、次いで、決定された変調次数に関連する最高ＭＣＳを決定する。ＵＥ７２０は、情報７４０中に決定された最高ＭＣＳを示す。ＵＥ７２０が連続ＣＷＩＣを実装している場合、ＵＥ７２０は、ｅＮＢ７１０ａから受信された基準信号のＳＩＮＲに基づいてＵＥ７２０が確実に抑圧／消去することができるＭＣＳを決定する。ＵＥ７２０は、情報７４０中で決定されたＭＣＳを示す。ＵＥ７２０は、あらかじめ決定されたＭＣＳと、あらかじめ決定されたＭＣＳに基づく干渉の前の抑圧の精度とに基づいて、決定されたＭＣＳを調整し得る。
【００４８】
[0060]基準信号は、ｅＮＢ７１０ａから送信されたＣＲＳまたはチャネル状態情報（ＣＳＩ：channel state information）ＲＳ（ＣＳＩ−ＲＳ）であり得る。ｅＮＢ７１０ａから受信された基準信号に関連するＳＩＮＲを決定するとき、ＵＥ７２０は、ピコｅＮＢ７１０ｂからのＣＲＳ送信に基づいて、および／または干渉管理リソース（ＩＭＲ：interference management resource）を使用するＣＳＩ−ＲＳに基づいて雑音を推定し得る。
【００４９】
[0061]ＵＥ７２０は、情報７４０をｅＮＢ７１０ａに直接送るか、または情報７４０をピコｅＮＢ７１０ｂに送り、ピコｅＮＢ７１０ｂは、次いで情報７４０をｅＮＢ７１０ａにフォワーディングし得る。ピコｅＮＢ７１０ｂが情報７４０を受信した場合、ピコｅＮＢ７１０ｂは、（ＵＥ７２０を含む）被サービスＵＥからすべてのＭＣＳ／ＣＱＩ報告をアグリゲートし、ｅＮＢ７１０ａにＭＣＳ／ＣＱＩ報告の関数ｆのｅＮＢ７１０ａに１つまたは複数のＭＣＳ／ＣＱＩ報告を送り得る。関数ｆは、すべてのＭＣＳ／ＣＱＩ報告の単に最小値を含むか、またはＭＣＳ／ＣＱＩ報告のｋパーセンタイル（たとえば、２０％、５０％など）を含み得る。
【００５０】
[0062]ＵＥ７２０は、前の干渉抑圧が成功したかどうかを決定し、前の干渉抑圧が成功したと決定されたときにＡＣＫを送信し、前の干渉抑圧が成功しなかったと決定されたときにＮＡＣＫを送信し得る。ＵＥ７２０はＡＣＫ／ＮＡＣＫ７５０をｅＮＢ７１０ａまたはピコｅＮＢ７１０ｂに送信し得る。ピコｅＮＢ７１０ｂはＡＣＫ／ＮＡＣＫをｅＮＢ７１０ａにフォワーディングし得る。ｅＮＢ７１０ａに報告されたとき、ｅＮＢ７１０ａは、干渉送信７１４を変調および／または符号化するために使用されるＭＣＳをバイアスし得る。ピコｅＮＢ７１０ｂに報告されたとき、ピコｅＮＢ７１０ｂは、アグリゲートされた報告中のＭＣＳをバイアスし得る。
【００５１】
[0063]ある例が、例示的な方法を最も良く示している。ＣＷＩＣ対応ＵＥが、サービングｅＮＢと第１の干渉ｅＮＢと第２の干渉ｅＮＢとからのデータ送信を含む単一のデータ送信を受信すると仮定する。さらに、サービングｅＮＢからのＳＮＲが１０ｄＢであり、第１の干渉ｅＮＢからのＳＮＲが２０ｄＢであり、第２の干渉ｅＮＢからのＳＮＲが１３ｄＢであると仮定する。また、簡単のために、ＵＥが、消去されるべき信号を復号することができる（完全なチャネル推定を用いて可能である）場合、ＵＥは完全な消去を実行することができると仮定する。加法性白色ガウス雑音（ＡＷＧＮ：additive white Gaussian noise）干渉を用いたシングルユーザ復号の場合、サービングＣＱＩは、約−１１ｄＢのＳＩＮＲに対応する。ＳＮＲは１０ｌｏｇ10Ｘに等しく、ただし、Ｘは電力比である。したがって、１０ｄＢのＳＮＲは１０の電力比に対応する。２０ｄＢのＳＮＲは１００の電力比に対応し、１３ｄＢのＳＮＲは約２０の電力比に対応する。ＡＷＧＮ干渉を用いたシングルユーザ復号の場合、ＳＩＮＲは１０／（１００＋２０）の電力比に対応し、それは約−１１ｄＢのＳＩＮＲに対応する。しかしながら、（１）第１の干渉ｅＮＢ、（２）第２の干渉ｅＮＢ、および（３）サービングｅＮＢである復号順序で復号するＣＷＩＣの場合、ＵＥは、約５ｄＢのＳＩＮＲに対応する第１の干渉ｅＮＢについてのＣＱＩ（すなわち、１００／（２０＋１０）の電力比に対応するＳＩＮＲと、約３ｄＢのＳＩＮＲに対応する第２の干渉ｅＮＢについてのＣＱＩ（すなわち、２０／１０の電力比に対応するＳＩＮＲ）と、１０ｄＢのサービングｅＮＢについてのＣＱＩとを報告する。第１の干渉ｅＮＢが、５ｄＢのＳＩＮＲに対応するＭＣＳ／ＣＱＩに基づいてそれの干渉するデータ送信を変調し、符号化し、第２の干渉ｅＮＢが、３ｄＢのＳＩＮＲに対応するＭＣＳ／ＣＱＩに基づいてそれの干渉するデータ送信を変調し、符号化した場合、１０ｄＢ  ＳＮＲにおいて、サービング送信をも含むデータ送信中で干渉送信を受信するＵＥは、データ送信からサービング送信を復調し、復号することが可能であり得る。
【００５２】
[0064]図７の例では、干渉送信７１４はｅＮＢ７１０ａからのものである。しかしながら、ＵＥ７２０は、ピコｅＮＢ７１０ｂからの干渉送信を抑圧するために例示的な方法を適用し得る。概して、例示的な方法では、ＵＥ７２０は、ＵＥ７２０において第２のセルからの第２のセル送信を復号するとき、第１のセルからの干渉する第１のセル送信の干渉抑圧を可能にするであろうＭＣＳを決定し得る。干渉する第１のセル送信は、ＵＥ７２０を対象としない送信であり、第２のセル送信は、ＵＥ７２０を対象とする送信である。ＵＥ７２０は、第１のセルについての決定されたＭＣＳを示す情報を送信する。ＵＥ７２０は、第２のセルからの第２のセル送信と第１のセルからの干渉する第１のセル送信とを含む送信を受信する。ＵＥ７２０は、決定されたＭＣＳに基づいて、受信された送信からの第２のセル送信を復調する。第２のセルはピコｅＮＢ７１０ｂに属する。第１のセルはｅＮＢ７１０ａまたはピコｅＮＢ７１０ｂに属する。第１のセルがピコｅＮＢ７１０ｂに属するとき、第１のセルと第２のセルとは、たとえば、ＭＵ−ＭＩＭＯ送信において同じセルであるか、またはピコｅＮＢ７１０ｂの異なるセルであり得る。
【００５３】
[0065]図８は、ワイヤレス通信の方法のフローチャート８００である。本方法は、ＵＥ７２０などのＵＥによって実行され得る。ステップ８０２において、ＵＥは、第１のセルから受信された基準信号に関連するＳＩＮＲを決定する。ステップ８０４において、ＵＥは、第２のセルからの第２のセル送信を復号するとき、第１のセルからの干渉する第１のセル送信の干渉抑圧を可能にするであろうＭＣＳを決定する。干渉する第１のセル送信は、ＵＥを対象としない送信である。第２のセル送信は、ＵＥを対象とする送信である。干渉抑圧は、干渉消去（たとえば、ＣＷＩＣまたはＳＬＩＣ）と、ＮＡＩＣコンテキストにおけるＲ−ＭＬ復号と、ＵＥが干渉する第１のセル送信のパラメータの知識またはパラメータの統計値を活用することを可能にする他の技法とのうちの１つまたは複数を含む。第１のセルと第２のセルとは、同じセルまたは異なるセルであり得る。第１のセルと第２のセルとが異なるセルであるとき、それらは同じｅＮＢまたは異なるｅＮＢに属し得る。ＵＥは、決定されたＳＩＮＲに基づいてＭＣＳを決定する。一構成では、ＵＥは、決定されたＭＣＳに関連するＣＱＩを決定する。ＣＱＩは、広帯域ＣＱＩ、１つまたは複数のサブバンドについてのサブバンドＣＱＩ、最大好適ＰＭＩ、最小好適ＰＭＩ、またはＲＩのうちの１つまたは複数であり得る。ＵＥがＳＬＩＣを実行している場合、ＵＥは、決定されたＳＩＮＲに基づいてＵＥが確実に抑圧することができる変調次数を決定し、決定された変調次数に関連する最高ＭＣＳを決定し得る。ＵＥは、次いで、最高ＭＣＳになるべきＭＣＳを決定し得る。ＵＥがＣＷＩＣを実行している場合、ＵＥは、ＳＩＮＲに基づいてＵＥが確実に抑圧することができるＭＣＳになるべきＭＣＳを決定し得る。
【００５４】
[0066]ステップ８０４において、ＵＥはまた、あらかじめ決定されたＭＣＳと、あらかじめ決定されたＭＣＳに基づく干渉の前の抑圧の精度とに基づいて、決定されたＭＣＳを調整する。干渉の前の抑圧の精度が第１のしきい値よりも小さい（すなわち、干渉の前の抑圧が不正確であった）場合、ＵＥは、決定されたＭＣＳをより低くなるように調整し得、干渉の前の抑圧の精度が第２のしきい値よりも大きい（すなわち、干渉の前の抑圧が正確であった）場合、ＵＥは、決定されたＭＣＳをより高くなるように調整し得る。
【００５５】
[0067]ステップ８０４において、ＵＥは、さらに、干渉する第１のセル送信についての所定の最大ＭＣＳに基づいてＭＣＳを決定する。そのような構成では、ＵＥは、決定されたＭＣＳを所定の最大ＭＣＳまで低減し、所定の最大ＭＣＳを報告し得る。一構成では、第１のセルと第２のセルとは、第１のセルによって使用され得る最大ＭＣＳに関して同意し得る。別の構成では、第１のセルは、特定のサブフレーム／サブバンドについて所定の最大ＭＣＳよりも小さいかまたはそれに等しいＭＣＳを使用し得る。ＵＥが、特定のサブフレーム／サブバンドについて所定の最大ＭＣＳよりも大きいＭＣＳを決定した場合、ＵＥは、決定されたＭＣＳではなく所定の最大ＭＣＳを報告し得る。したがって、ＵＥは、決定されたＭＣＳを所定の最大ＭＣＳまで低減し、決定された低減されたＭＣＳを報告し得る。
【００５６】
[0068]ステップ８０６において、ＵＥは、第１のセルについての決定されたＭＣＳ／ＣＱＩを示す情報を送信する。ＵＥは情報を第２のセルまたは第１のセルに送信し得る。ＵＥが情報を第２のセルに送信する場合、第２のセルは、受信されたＭＣＳ／ＣＱＩ情報をアグリゲートし、アグリゲートされた情報またはアグリゲートされた情報の一部分を第１のセルにフォワーディングし得る。
【００５７】
[0069]ステップ８０８において、ＵＥは、第２のセルからダウンリンク許可を受信し、ここにおいて、ダウンリンク許可は、第１のセルについての決定されたＭＣＳを示す送信された情報に基づく。上記で説明したように、第２のセルは、第１のセルからの干渉を確実に抑圧することができるＵＥをスケジュールし得る。詳細には、第２のセルは、第１のセルが、決定されたＭＣＳよりも小さいかまたはそれに等しいＭＣＳでそれのダウンリンク送信を送っているかどうかに基づいて、ダウンリンク送信のためにＵＥをスケジュールし得る。最大ＭＣＳが第２のセルに知られている、最大ＭＣＳよりも小さいかまたはそれに等しいＭＣＳにおいて、第１のセルがそれのダウンリンク送信を送っている場合、第２のセルは、ＵＥがステップ８０６において最大ＭＣＳよりも大きいかまたはそれに等しいＭＣＳを報告したとき、ＵＥをスケジュールし得る。
【００５８】
[0070]ステップ８１０において、ＵＥは、第２のセルからの第２のセル送信と第１のセルからの干渉する第１のセル送信とを含む送信を受信する。干渉する第１のセル送信は、第１のセルについての決定されたＭＣＳに基づいて変調および／または符号化され得る。詳細には、第１の構成では、干渉する第１のセル送信は、第１のセルについての決定されたＭＣＳで変調および／または符号化される。第２の構成では、干渉する第１のセル送信は、決定されたＭＣＳに等しいかまたはそれよりも低いＭＣＳで変調および／または符号化される。干渉する第１のセル送信が、ステップ８０６において示されたＭＣＳで変調および／または符号化されたとき、示されたＭＣＳは、干渉する第１のセル送信が、ステップ８０６において示されたＭＣＳよりも小さいかまたはそれに等しいＭＣＳで変調および／または符号化されたときよりも高くなり得る。すなわち、ＵＥは、第１のセルが使用することになるＭＣＳをＵＥが正確に知っているとき、第１のＭＣＳを示し得、示されたＭＣＳよりも小さいかまたはそれに等しいＭＣＳを第１のセルが使用することになるとＵＥが知っているとき、第１のＭＣＳよりも小さい第２のＭＣＳを示し得る。
【００５９】
[0071]ステップ８１２において、ＵＥは、干渉する第１のセル送信が決定されたＭＣＳに基づいてその上で変調され、符号化されることになるサブフレームまたはサブバンドのうちの少なくとも１つを決定する。たとえば、図７を参照すると、ＵＥ７２０は、ピコｅＮＢ７１０ｂからサブフレーム／サブバンドを示す情報を受信し得る。ｅＮＢ７１０ａおよびピコｅＮＢ７１０ｂは、ｅＮＢ７１０ａがその上でＵＥからのＭＣＳ／ＣＱＩ報告を重視する（報告されたＭＣＳ／ＣＱＩに基づいて変調および／または符号化する）ことになるサブフレーム／サブバンドに関して同意し得る。
【００６０】
[0072]ステップ８１４において、ＵＥは、送信がサブフレーム／サブバンド中で受信されたかどうかに基づいて、受信された送信からの干渉を抑圧すべきかどうかを決定し得る。干渉する第１のセル送信が決定されたＭＣＳに基づいてその上で変調および／または符号化されるサブフレーム／サブバンド中で送信が受信された場合、ＵＥは、受信された送信からの、干渉する第１のセル送信による第２のセル送信への干渉を抑圧し得る。ＵＥは、干渉する第１のセル送信が、ステップ８０４、８０６において決定され、送信されたＭＣＳに基づいて変調および／または符号化されるという知識に基づいて、干渉を抑圧し得る。
【００６１】
[0073]ステップ８１６において、ＵＥは、干渉する第１のセル送信が、決定されたＭＣＳに基づいて変調されるかまたは符号化されるかのうちの少なくとも１つであるという仮定に基づいて、受信された送信からの第２のセル送信を復調および／または復号する。ステップ８１８において、ＵＥは、干渉抑圧が成功したかどうかを決定する。干渉抑圧が成功したと決定された場合、ＵＥはＡＣＫを送信し得る。干渉抑圧が成功しなかったと決定された場合、ＵＥはＮＡＣＫを送信し得る。ＵＥはＡＣＫ／ＮＡＣＫを第１のセルまたは第２のセルのいずれかに送信し得る。第２のセルに送信された場合、第２のセルは、受信されたＡＣＫ／ＮＡＣＫに基づいてＭＣＳ／ＣＱＩアグリゲートされた報告をバイアスし得る。第１のセルに送信された場合、第１のセルは、受信されたＡＣＫ／ＮＡＣＫに基づいてＭＣＳをバイアスし得る。詳細には、第１のセルは、ＮＡＣＫが受信されたときにＭＣＳを減少させ、ＡＣＫが受信されたときにＭＣＳを増加させ得る。いくつかの構成では、第１のセルは、受信されたＮＡＣＫに基づいてＭＣＳが前に減少させられた場合のみ、ＡＣＫが受信されたときにＭＣＳを増加させ得る。したがって、８０４において、ＵＥは、前の干渉抑圧が成功したかどうかを決定する。ＵＥは、前の干渉抑圧が成功したと決定されたときにＡＣＫを送信し、前の干渉抑圧が成功しなかったと決定されたときにＮＡＣＫを送信し得る。そのような構成では、第１のセルからの干渉する第１のセル送信は、決定されたＭＣＳと、ＵＥが前の干渉抑圧に応答してＡＣＫを送信するのかＮＡＣＫを送信するのかとに基づいて変調および／または符号化される。
【００６２】
[0074]図９は、ワイヤレス通信の方法のフローチャート９００である。本方法は、干渉するｅＮＢ７１０ａなどのｅＮＢによって実行され得る。ステップ９０２において、セルが、セルからのセル送信の第１のＵＥ（たとえば、ＵＥ７２０）による干渉消去を可能にするであろうＭＣＳを示す情報を受信する。ステップ９０４において、セルは、ＭＣＳを示す受信された情報に基づいてダウンリンク送信を受信するためにスケジュールすべきＵＥを決定する。決定されたＵＥは第２のＵＥを含む。セルは、ダウンリンク送信のために示されたＭＣＳを利用するか、あるいは示されたＭＣＳよりも小さいかまたはそれに等しいＭＣＳを利用すると決定し得る。セルは、セルがダウンリンク送信のために利用すると決定した利用されるべきＭＣＳにおいて、ダウンリンク送信を確実に復号し、復調することができるＵＥをスケジュールすると決定し得る。ダウンリンク送信を確実に復調／復号するために、利用されるべきＭＣＳよりも低いＭＣＳを必要とするＵＥは、示されたＭＣＳによってセルが制限されない他の時間にスケジュールされ得る。
【００６３】
[0075]ステップ９０６において、セルは、決定されたスケジューリングに基づいてセル送信を受信するように第２のＵＥをスケジュールする。したがって、セルは、第２のＵＥが、利用されるべきＭＣＳにおいてダウンリンク送信を確実に復調した／復号することができると決定した。利用されるべきＭＣＳは、示されたＭＣＳ、あるいは示されたＭＣＳよりも小さいかまたはそれに等しいＭＣＳであり得る。
【００６４】
[0076]ステップ９０８において、セルは、ＭＣＳを示す受信された情報に基づいてデータを変調および／または符号化する。セルは、示されたＭＣＳにおいて、あるいは示されたＭＣＳよりも小さいかまたはそれに等しいＭＣＳにおいてデータを変調および／または符号化する。ステップ９１０において、セルは、セル送信中でデータを第２のＵＥに送信する。
【００６５】
[0077]ステップ９０２において、受信されたＭＣＳを示す情報を第１のＵＥから受信するか、または第１のＵＥをサービスする第２のセルから受信する。上記で説明したように、ステップ９０４、９０６において、セルは、示されたＭＣＳ、あるいは示されたＭＣＳよりも小さいかまたはそれに等しいＭＣＳにおいてＵＥがダウンリンク送信を受信することが可能であるかどうかに基づいて、ダウンリンク送信を受信するためのＵＥを決定する。ＭＣＳを示す情報は、ＣＱＩを示す情報であり得る。
【００６６】
[0078]ステップ９０８において、セルは、示されたＭＣＳで、あるいは示されたＭＣＳよりも小さいかまたはそれに等しいＭＣＳでデータを変調および／または符号化する。セルは、セルと第２のセルとが、ダウンリンク送信のために使用され得る最大ＭＣＳに関して同意したとき、示されたＭＣＳよりも小さいかまたはそれに等しいＭＣＳでデータを変調および／または符号化し得る。
【００６７】
[0079]図１０は、例示的な装置１００２中の異なるモジュール／手段／構成要素間のデータフローを示す概念データフロー図１０００である。本装置はＵＥであり得る。ＵＥは、ＵＥにおいて第２のセル１０５０からの第２のセル送信を復号するとき、第１のセル１０６０からの干渉する第１のセル送信の干渉抑圧を可能にするであろうＭＣＳを決定するように構成されたＭＣＳ／ＣＱＩ決定モジュール１０１０を含む。干渉する第１のセル送信は、ＵＥを対象としない送信であり、第２のセル送信は、ＵＥを対象とする送信である。ＵＥは、第１のセル１０６０についての決定されたＭＣＳを示す情報を送信するように構成された送信モジュール１０１４をさらに含む。ＵＥは、第２のセル１０５０からの第２のセル送信と第１のセル１０６０からの干渉する第１のセル送信とを含む送信を受信するように構成された受信モジュール１００４をさらに含む。ＵＥは、干渉する第１のセル送信が決定されたＭＣＳに基づいて変調されるかまたは符号化されるかのうちの少なくとも１つであるという仮定に基づいて、受信された送信からの第２のセル送信を復調および／または復号するように構成された復調／復号モジュール１００８をさらに含む。ＵＥは、受信された送信からの、干渉する第１のセル送信による第２のセル送信への干渉を抑圧するように構成された干渉抑圧モジュール１００６をさらに含み得る。干渉抑圧モジュール１００６は、決定されたＭＣＳに基づいて干渉を抑圧するように構成される。送信モジュール１０１４は、決定されたＭＣＳを示す情報を第２のセル１０５０または第１のセル１０６０のうちの１つに送信するように構成され得る。ＭＣＳ／ＣＱＩ決定モジュール１０１０は、決定されたＭＣＳに関連するＣＱＩを決定するように構成され得る。そのような構成では、送信モジュール１０１４は、決定されたＣＱＩを示す情報を送信するように構成される。決定されたＣＱＩを示す情報は、広帯域ＣＱＩ、１つまたは複数のサブバンドについてのサブバンドＣＱＩ、最大好適ＰＭＩ、最小好適ＰＭＩ、またはＲＩのうちの少なくとも１つを含み得る。受信モジュール１００４は、第２のセル１０５０からダウンリンク許可を受信するように構成され得る。ダウンリンク許可は、第１のセル１０６０についての決定されたＭＣＳを示す送信情報に基づき得る。干渉する第１のセル送信は、第１のセル１０６０についての決定されたＭＣＳに基づいて変調され、符号化され得る。干渉抑圧モジュール１００６は、干渉する第１のセル送信が決定されたＭＣＳに基づいてその上で変調され、符号化されることになるサブフレームまたはサブバンドのうちの少なくとも１つを決定することと、送信がサブバンドのサブフレームのうちの少なくとも１つ中で受信されたかどうかに基づいて、受信された送信から干渉を抑圧すべきかどうかを決定することとを行うように構成され得る。干渉する第１のセル送信は、決定されたＭＣＳで変調され、符号化され得る。代替的に、干渉する第１のセル送信は、決定されたＭＣＳに等しいかまたはそれよりも低いＭＣＳで変調され、符号化され得る。ＭＣＳは、干渉する第１のセル送信についての所定の最大ＭＣＳに基づいて決定され得る。ＵＥは、第１のセル１０６０から受信された基準信号に関連するＳＩＮＲを決定するように構成されたＳＩＮＲ決定モジュール１０１２をさらに含み得る。ＭＣＳ／ＣＱＩ決定モジュール１０１０は、決定されたＳＩＮＲに基づいてＭＣＳを決定するように構成され得る。ＭＣＳ／ＣＱＩ決定モジュール１０１０は、決定されたＳＩＮＲに基づいて変調次数を決定することと、決定された変調次数に関連する最高ＭＣＳを決定することとを行うように構成され得る。そのような構成では、ＭＣＳ／ＣＱＩ決定モジュール１０１０は、決定された最高ＭＣＳになるべきＭＣＳを決定するように構成される。ＭＣＳ／ＣＱＩ決定モジュール１０１０は、あらかじめ決定されたＭＣＳと、あらかじめ決定されたＭＣＳに基づく干渉の前の抑圧の精度とに基づいて、決定されたＭＣＳを調整するように構成され得る。復調／復号モジュール１００８は、前の干渉抑圧が成功したかどうかを決定することと、復調／復号が成功した／成功しなかったかどうかを送信モジュール１０１４に通知することとを行うように構成され得る。そのような構成では、送信モジュール１０１４は、前の干渉抑圧が成功したと決定されたときにＡＣＫを送信し、前の干渉抑圧が成功しなかったと決定されたときにＮＡＣＫを送信するように構成され得る。第１のセル１０６０からの干渉する第１のセル送信は、決定されたＭＣＳと、ＵＥが前の干渉抑圧に応答してＡＣＫを送信するのかＮＡＣＫを送信するのかとに基づいて変調され、符号化され得る。
【００６８】
[0080]本装置は、図８の上述のフローチャート中のアルゴリズムのステップの各々を実行する追加のモジュールを含み得る。したがって、図８の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００６９】
[0081]図１１は、処理システム１１１４を採用する装置１００２’のためのハードウェア実装形態の一例を示す図１３００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４によって表される１つまたは複数のプロセッサおよび／またはハードウェアモジュールと、モジュール１００４、１００６、１００８、１０１０、１０１２、１０１４と、コンピュータ可読媒体／メモリ１１０６とを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明しない。
【００７０】
[0082]処理システム１１１４はトランシーバ１３１０に結合され得る。トランシーバ１１１０は１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信された信号から情報を抽出し、抽出された情報を処理システム１１１４に与える。さらに、トランシーバ１１１０は、処理システム１１１４から情報を受信し、受信した情報に基づいて、１つまたは複数のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む一般的な処理を担当する。ソフトウェアは、プロセッサ１１０４によって実行されたとき、処理システム１１１４に、特定の装置のための上記で説明された様々な機能を実行させる。コンピュータ可読媒体／メモリ１１０６はまた、ソフトウェアを実行するときにプロセッサ１１０４によって操作されるデータを記憶するために使用され得る。処理システムは、モジュール１００４、１００６、１００８、１０１０、１０１２、１０１４のうちの少なくとも１つをさらに含む。それらのモジュールは、プロセッサ１１０４中で動作するか、コンピュータ可読媒体／メモリ１１０６中に常駐する／記憶されたソフトウェアモジュールであるか、プロセッサ１１０４に結合された１つまたは複数のハードウェアモジュールであるか、またはそれらの何らかの組合せであり得る。処理システム１１１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００７１】
[0083]一構成では、ワイヤレス通信のための装置１００２／１００２’は、ＵＥにおいて第２のセルからの第２のセル送信を復号するとき、第１のセルからの干渉する第１のセル送信の干渉抑圧を可能にするであろうＭＣＳを決定するための手段を含む。干渉する第１のセル送信は、ＵＥを対象としない送信である。第２のセル送信は、ＵＥを対象とする送信である。本装置は、第１のセルについての決定されたＭＣＳを示す情報を送信するための手段と、第２のセルからの第２のセル送信および第１のセルからの干渉する第１のセル送信を備える送信を受信するための手段と、決定されたＭＣＳに基づいて、受信された送信からの第２のセル送信を復調することまたは復号することのうちの少なくとも１つを実行するための手段とをさらに含む。実行するための手段は、干渉する第１のセル送信が、決定されたＭＣＳに基づいて変調されるかまたは符号化されるかのうちの少なくとも１つであるという仮定に基づいて、受信された送信からの第２のセル送信を復調するように構成され得る。実行するための手段は、干渉する第１のセル送信が、決定されたＭＣＳに基づいて変調されるかまたは符号化されるかのうちの少なくとも１つであるという仮定に基づいて、受信された送信からの第２のセル送信を復号するように構成され得る。本装置は、受信された送信から、干渉する第１のセル送信による第２のセル送信への干渉を抑圧するための手段をさらに含み、干渉は、決定されたＭＣＳに基づいて抑圧される。本装置は、決定されたＭＣＳに関連するＣＱＩを決定するための手段をさらに含み得る。決定されたＭＣＳを示す情報は、決定されたＣＱＩを示す情報を含み得る。本装置は、第２のセルからダウンリンク許可を受信するための手段をさらに含み得る。ダウンリンク許可は、第１のセルについての決定されたＭＣＳを示す送信情報に基づき得る。一構成では、干渉する第１のセル送信は、第１のセルについての決定されたＭＣＳに基づいて変調され、符号化される。そのような構成では、本装置は、干渉する第１のセル送信が決定されたＭＣＳに基づいてその上で変調され、符号化されることになるサブフレームまたはサブバンドのうちの少なくとも１つを決定するための手段と、送信がサブバンドのサブフレームのうちの少なくとも１つ中で受信されたかどうかに基づいて、受信された送信から干渉を抑圧すべきかどうかを決定するための手段とをさらに含み得る。本装置は、第１のセルから受信された基準信号に関連するＳＩＮＲを決定するための手段をさらに含み得る。ＭＣＳは、決定されたＳＩＮＲに基づいて決定され得る。本装置は、決定されたＳＩＮＲに基づいて変調次数を決定するための手段と、決定された変調次数に関連する最高ＭＣＳを決定するための手段とをさらに含み得る。決定されたＭＣＳは、決定された最高ＭＣＳであり得る。本装置は、あらかじめ決定されたＭＣＳと、あらかじめ決定されたＭＣＳに基づく干渉の前の抑圧の精度とに基づいて、決定されたＭＣＳを調整するための手段をさらに含み得る。本装置は、前の干渉抑圧が成功したかどうかを決定するための手段と、前の干渉抑圧が成功したと決定されたときにＡＣＫを送信するための手段と、前の干渉抑圧が成功しなかったと決定されたときにＮＡＣＫを送信するための手段とをさらに含み得る。第１のセルからの干渉する第１のセル送信は、決定されたＭＣＳと、ＵＥが前の干渉抑圧に応答してＡＣＫを送信するのかＮＡＣＫを送信するのかとに基づいて変調され、符号化され得る。
【００７２】
[0084]上述の手段は、上述の手段によって具陳された機能を実行するように構成された、装置１００２、および／または装置１００２’の処理システム１１１４の上述のモジュールのうちの１つまたは複数であり得る。上記で説明したように、処理システム１１１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００７３】
[0085]図１２は、例示的な装置１２０２中の異なるモジュール／手段／構成要素間のデータフローを示す概念データフロー図１２００である。本装置は干渉基地局７１０ａなどのｅＮＢであり得る。セルは、セルからのセル送信の第１のＵＥ１２５０による干渉抑圧を可能にするであろうＭＣＳを示す情報を受信するように構成された受信モジュール１２１０を含む。セルは、ＭＣＳを示す受信された情報に基づいてデータを変調することまたは符号化することのうちの少なくとも１つを実行するように構成された変調／符号化モジュール１２１２をさらに含む。セルは、セル送信中でデータを第２のＵＥ１２６０に送信するように構成された送信モジュール１２１６をさらに含む。受信されたＭＣＳを示す情報は、第１のＵＥ１２５０から受信されるか、または第１のＵＥ１２５０をサービスする第２のセルから受信され得る。セルは、ＭＣＳを示す受信された情報に基づいてダウンリンク送信を受信するためにスケジュールすべきＵＥを決定するように構成されたスケジューリングモジュール１２１４をさらに含み得る。決定されたＵＥは第２のＵＥ１２６０を含む。スケジューリングモジュール１２１４は、決定されたスケジューリングに基づいてセル送信を受信するように第２のＵＥ１２６０をスケジュールするようにさらに構成され得る。スケジューリングモジュール１２１４は、ＵＥがＭＣＳにおいてダウンリンク送信を受信することが可能であるかどうかに基づいて、ダウンリンク送信を受信するためのＵＥを決定するように構成され得る。ＭＣＳを示す情報は、ＣＱＩを示す情報であり得る。変調／符号化モジュール１２１２は、受信されたＭＣＳで、あるいは示されたＭＣＳよりも小さいかまたはそれに等しいＭＣＳでデータを変調および／または符号化するように構成され得る。
【００７４】
[0086]本装置は、図９の上述のフローチャート中のアルゴリズムのステップの各々を実行する追加のモジュールを含み得る。したがって、図９の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７５】
[0087]図１３は、処理システム１３１４を採用する装置１２０２’のためのハードウェア実装形態の一例を示す図１３００である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４によって表される１つまたは複数のプロセッサおよび／またはハードウェアモジュールと、モジュール１２１０、１２１２、１２１４、１２１６と、コンピュータ可読媒体／メモリ１３０６とを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００７６】
[0088]処理システム１３１４はトランシーバ１３１０に結合され得る。トランシーバ１３１０は１つまたは複数のアンテナ１３２０に結合される。トランシーバ１３１０は、伝送媒体を介して様々な他の装置と通信するための手段を与える。トランシーバ１３１０は、１つまたは複数のアンテナ１３２０から信号を受信し、受信された信号から情報を抽出し、抽出された情報を処理システム１３１４に与える。さらに、トランシーバ１３１０は、処理システム１３１４から情報を受信し、受信した情報に基づいて、１つまたは複数のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む一般的な処理を担当する。ソフトウェアは、プロセッサ１３０４によって実行されたとき、処理システム１３１４に、特定の装置のための上記で説明された様々な機能を実行させる。コンピュータ可読媒体／メモリ１３０６はまた、ソフトウェアを実行するときにプロセッサ１３０４によって操作されるデータを記憶するために使用され得る。処理システムは、モジュール１２１０、１２１２、１２１４、１２１６のうちの少なくとも１つをさらに含む。それらのモジュールは、プロセッサ１３０４内で動作するか、コンピュータ可読媒体／メモリ１３０６内に存在する／記憶されたソフトウェアモジュール、プロセッサ１３０４に結合された１つもしくは複数のハードウェアモジュール、またはそれらの何らかの組合せであり得る。処理システム１３１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【００７７】
[0089]一構成では、ワイヤレス通信のための装置１２０２／１２０２’は、セルからのセル送信の第１のＵＥによる干渉抑圧を可能にするであろうＭＣＳを示す情報を受信するための手段と、ＭＣＳを示す受信された情報に基づいてデータを変調することまたは符号化することのうちの少なくとも１つを実行するための手段と、セル送信中でデータを第２のＵＥに送信するための手段とを含む。本装置は、ＭＣＳを示す受信された情報に基づいてダウンリンク送信を受信するためにスケジュールすべきＵＥを決定するための手段をさらに含む。決定されたＵＥは第２のＵＥを含む。本装置は、決定されたスケジューリングに基づいてセル送信を受信するように第２のＵＥをスケジュールするための手段をさらに含む。
【００７８】
[0090]上述の手段は、上述の手段によって具陳された機能を実行するように構成された、装置１２０２、および／または装置１２０２’の処理システム１３１４の上述のモジュールのうちの１つまたは複数であり得る。上記で説明したように、処理システム１３１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【００７９】
[0091]開示したプロセス／フローチャートにおけるステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【００８０】
[0092]以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、出願当初の特許請求の範囲に記載された発明を付記する。
［Ｃ１］
ユーザ機器（ＵＥ）の方法であって、
前記ＵＥにおいて第２のセルからの第２のセル送信を復号するとき、第１のセルからの干渉する第１のセル送信の干渉抑圧を可能にするであろう変調およびコーディング方式（ＭＣＳ）を決定することと、前記干渉する第１のセル送信が、前記ＵＥを対象としない送信であり、前記第２のセル送信が、前記ＵＥを対象とする送信である、
前記第１のセルについての前記決定されたＭＣＳを示す情報を送信することと、
前記第２のセルからの前記第２のセル送信と前記第１のセルからの前記干渉する第１のセル送信とを備える送信を受信することと、
前記決定されたＭＣＳに基づいて、前記受信された送信からの前記第２のセル送信を復調することまたは復号することのうちの少なくとも１つを実行することと
を備える、方法。
［Ｃ２］
前記実行することが、復調することを備え、前記受信された送信からの前記第２のセル送信を前記復調することは、前記干渉する第１のセル送信が、前記決定されたＭＣＳに基づいて変調されるかまたは符号化されるかのうちの少なくとも１つであるという仮定に基づく、Ｃ１に記載の方法。
［Ｃ３］
前記実行することが、復号することを備え、前記受信された送信からの前記第２のセル送信を前記復号することは、前記干渉する第１のセル送信が、前記決定されたＭＣＳに基づいて変調されるかまたは符号化されるかのうちの少なくとも１つであるという仮定に基づく、Ｃ１に記載の方法。
［Ｃ４］
前記受信された送信から、前記干渉する第１のセル送信による前記第２のセル送信への干渉を抑圧することをさらに備え、前記干渉が、前記決定されたＭＣＳに基づいて抑圧される、Ｃ１に記載の方法。
［Ｃ５］
前記決定されたＭＣＳを示す前記情報が前記第２のセルまたは前記第１のセルのうちの１つに送信される、Ｃ１に記載の方法。
［Ｃ６］
前記決定されたＭＣＳに関連するチャネル品質インジケータ（ＣＱＩ）を決定することをさらに備え、ここにおいて、前記決定されたＭＣＳを示す前記情報が、前記決定されたＣＱＩを示す情報を備える、Ｃ１に記載の方法。
［Ｃ７］
前記決定されたＣＱＩを示す前記情報が、広帯域ＣＱＩ、１つまたは複数のサブバンドについてのサブバンドＣＱＩ、最大好適プリコーディング行列インジケータ（ＰＭＩ）、最小好適ＰＭＩ、またはランクインジケータ（ＲＩ）のうちの少なくとも１つを備える、Ｃ６に記載の方法。
［Ｃ８］
前記第２のセルからダウンリンク許可を受信することをさらに備え、前記ダウンリンク許可が、前記第１のセルについての前記決定されたＭＣＳを示す前記送信された情報に基づく、Ｃ１に記載の方法。
［Ｃ９］
前記干渉する第１のセル送信が、前記第１のセルについての前記決定されたＭＣＳに基づいて変調され、符号化される、Ｃ１に記載の方法。
［Ｃ１０］
前記干渉する第１のセル送信が前記決定されたＭＣＳに基づいてその上で変調され、符号化されることになるサブフレームまたはサブバンドのうちの少なくとも１つを決定することと、
前記送信が前記サブバンドの前記サブフレームのうちの前記少なくとも１つ中で受信されたかどうかに基づいて、前記受信された送信から干渉を抑圧すべきかどうかを決定することと
をさらに備える、Ｃ９に記載の方法。
［Ｃ１１］
前記干渉する第１のセル送信が、前記決定されたＭＣＳで変調され、符号化される、Ｃ９に記載の方法。
［Ｃ１２］
前記干渉する第１のセル送信が、前記決定されたＭＣＳに等しいかまたはそれよりも低いＭＣＳで変調され、符号化される、Ｃ９に記載の方法。
［Ｃ１３］
前記ＭＣＳが、前記干渉する第１のセル送信についての所定の最大ＭＣＳに基づいて決定される、Ｃ１に記載の方法。
［Ｃ１４］
前記第１のセルから受信された基準信号に関連する信号対干渉プラス雑音比（ＳＩＮＲ）を決定することをさらに備え、ここにおいて、前記ＭＣＳが、前記決定されたＳＩＮＲに基づいて決定される、Ｃ１に記載の方法。
［Ｃ１５］
前記決定されたＳＩＮＲに基づいて変調次数を決定することと、
前記決定された変調次数に関連する最高ＭＣＳを決定することと
をさらに備え、
ここにおいて、前記決定されたＭＣＳが前記決定された最高ＭＣＳである、Ｃ１４に記載の方法。
［Ｃ１６］
あらかじめ決定されたＭＣＳと、前記あらかじめ決定されたＭＣＳに基づく干渉の前の抑圧の精度とに基づいて、前記決定されたＭＣＳを調整することをさらに備える、Ｃ１に記載の方法。
［Ｃ１７］
前の干渉抑圧が成功したかどうかを決定することと、
前記前の干渉抑圧が成功したと決定されたとき、肯定応答（ＡＣＫ）を送信することと、
前記前の干渉抑圧が成功しなかったと決定されたとき、否定ＡＣＫ（ＮＡＣＫ）を送信することと
をさらに備え、
ここにおいて、前記第１のセルからの前記干渉する第１のセル送信は、前記決定されたＭＣＳと、前記ＵＥが前記前の干渉抑圧に応答してＡＣＫを送信するのかＮＡＣＫを送信するのかとに基づいて変調され、符号化される、Ｃ１に記載の方法。
［Ｃ１８］
前記第１のセルと前記第２のセルとが同じセルである、Ｃ１に記載の方法。
［Ｃ１９］
前記第１のセルと前記第２のセルとが異なるセルであり、異なる基地局のうちの１つまたは同じ基地局に属する、Ｃ１に記載の方法。
［Ｃ２０］
セルの方法であって、
前記セルからのセル送信の第１のユーザ機器（ＵＥ）による干渉抑圧を可能にするであろう変調およびコーディング方式（ＭＣＳ）を示す情報を受信することと、
前記ＭＣＳを示す前記受信された情報に基づいてデータを変調することまたは符号化することのうちの少なくとも１つを実行することと、
前記セル送信中で前記データを第２のＵＥに送信することと
を備える、方法。
［Ｃ２１］
前記受信されたＭＣＳを示す前記情報が、前記第１のＵＥから受信されるか、または前記第１のＵＥをサービスする第２のセルから受信される、Ｃ２０に記載の方法。
［Ｃ２２］
前記ＭＣＳを示す前記受信された情報に基づいてダウンリンク送信を受信するためにスケジュールすべきＵＥを決定することと、前記決定されたＵＥが前記第２のＵＥを含む、
前記決定されたスケジューリングに基づいて前記セル送信を受信するように前記第２のＵＥをスケジュールすることと
をさらに備える、Ｃ２０に記載の方法。
［Ｃ２３］
前記ＵＥは、前記ＵＥが前記ＭＣＳにおいて前記ダウンリンク送信を受信することが可能であるかどうかに基づいて、前記ダウンリンク送信を受信するために決定される、Ｃ２２に記載の方法。
［Ｃ２４］
前記ＭＣＳを示す前記情報が、チャネル品質インジケータ（ＣＱＩ）を示す情報を備える、Ｃ１０に記載の方法。
［Ｃ２５］
前記データが、前記示されたＭＣＳよりも小さいかまたはそれに等しいＭＣＳで変調され、符号化される、Ｃ１０に記載の方法。
［Ｃ２６］
ワイヤレス通信のための装置であって、前記装置がユーザ機器（ＵＥ）であり、
前記ＵＥにおいて第２のセルからの第２のセル送信を復号するとき、第１のセルからの干渉する第１のセル送信の干渉抑圧を可能にするであろう変調およびコーディング方式（ＭＣＳ）を決定するための手段と、前記干渉する第１のセル送信が、前記ＵＥを対象としない送信であり、前記第２のセル送信が、前記ＵＥを対象とする送信である、
前記第１のセルについての前記決定されたＭＣＳを示す情報を送信するための手段と、
前記第２のセルからの前記第２のセル送信と前記第１のセルからの前記干渉する第１のセル送信とを備える送信を受信するための手段と、
前記決定されたＭＣＳに基づいて、前記受信された送信からの前記第２のセル送信を復調することまたは復号することのうちの少なくとも１つを実行するための手段と
を備える、装置。
［Ｃ２７］
実行するための前記手段は、前記干渉する第１のセル送信が、前記決定されたＭＣＳに基づいて変調されるかまたは符号化されるかのうちの少なくとも１つであるという仮定に基づいて、前記受信された送信からの前記第２のセル送信を復調するように構成された、Ｃ２６に記載の装置。
［Ｃ２８］
実行するための前記手段は、前記干渉する第１のセル送信が、前記決定されたＭＣＳに基づいて変調されるかまたは符号化されるかのうちの少なくとも１つであるという仮定に基づいて、前記受信された送信からの前記第２のセル送信を復号するように構成された、Ｃ２６に記載の装置。
［Ｃ２９］
前記受信された送信から、前記干渉する第１のセル送信による前記第２のセル送信への干渉を抑圧するための手段をさらに備え、前記干渉が、前記決定されたＭＣＳに基づいて抑圧される、Ｃ２６に記載の装置。
［Ｃ３０］
ワイヤレス通信のための装置であって、前記装置がセルであり、
前記セルからのセル送信の第１のユーザ機器（ＵＥ）による干渉抑圧を可能にするであろう変調およびコーディング方式（ＭＣＳ）を示す情報を受信するための手段と、
前記ＭＣＳを示す前記受信された情報に基づいてデータを変調することまたは符号化することのうちの少なくとも１つを実行するための手段と、
前記セル送信中で前記データを第２のＵＥに送信するための手段と
を備える、装置。
【図１】
0006363103.tif 000002
【図２】
0006363103.tif 000003
【図３】
0006363103.tif 000004
【図４】
0006363103.tif 000005
【図５】
0006363103.tif 000006
【図６】
0006363103.tif 000007
【図７】
0006363103.tif 000008
【図８】
0006363103.tif 000009
【図９】
0006363103.tif 000010
【図１０】
0006363103.tif 000011
【図１１】
0006363103.tif 000012
【図１２】
0006363103.tif 000013
【図１３】
0006363103.tif 000014